(57)【特許請求の範囲】
【請求項１】
取付部位に形成された埋込穴に埋設される枠体と、前記枠体に対して旋回可能に取付けられた回転台と、光源および反射板を内包するとともに前記回転台に対して上下方向に回動可能に設けられた灯具本体と、を有する照明器具であって、
前記回転台に対して前記灯具本体を回動可能に支持する回動軸と、前記灯具本体を前記回転台に対して固定する固定ネジと、を別個に設け、前記回動軸を前記固定ネジよりも前記灯具本体の先端側に設け、
前記灯具本体から前記枠体側に突出する、前記灯具本体に一体的に形成されている突起が、前記回転台の一部に設けられている穴に嵌合され、前記突起によって前記回動軸が構成され、
前記灯具本体における前記反射板は、下方に広がりつつ開口するカップ形状を有し、
前記灯具本体の一部を貫く溝が形成されており、
前記灯具本体の前記溝と、カップ形状を有する前記反射板の表面との間の距離は、前記灯具本体の前記突起が形成されている部分の内面と、カップ形状を有する前記反射板の表面との間の距離よりも大きく、
前記溝を貫通する前記固定ネジは、前記灯具本体の前記溝と、カップ形状を有する前記反射板の表面との間の取付空間においてナットにより締結されている、
ことを特徴とする照明器具。
【発明の詳細な説明】
【技術分野】
【０００１】
本発明は、取付部位に形成された埋込穴に埋設されて使用され、任意の方向へ光を照射することができる照明器具に関するものである。
【背景技術】
【０００２】
従来より、取付面に埋め込まれて使用され、照射方向が調整可能な照明器具が提案されている（例えば特許文献１参照）。
図５に示すように、特許文献１に記載の照明器具１００は、例えば天井等に埋め込まれて使用されるものであり、筒型の本体１０１を有しており、この本体１０１の下端開口の内周縁には、枠体１０２が本体１０１の内方に突出して取付けられている。また、本体１０１内部には灯具本体１０３が収容されており、灯具本体１０３の下端周縁部が枠体１０２の上に載置されて、水平方向へ旋回自在となっている。灯具本体１０３の内部には、ランプ１０５及び反射板１０６を有する灯具１０４が収容されており、灯具１０４は、灯具本体１０３の対向する２点において取付ネジ１０７により回動自在に支持されている。
【０００３】
従って、灯具本体１０３を枠体１０２に対して水平方向へ旋回させるとともに、灯具１０４を取付ネジ１０７を中心として灯具本体１０３内部で上下方向へ回動させることにより、照射方向が調整自在となっている。
【特許文献１】実開昭６３−１０１４１１号公報（第１図）
【発明の開示】
【発明が解決しようとする課題】
【０００４】
ところで、枠体１０２に対して旋回可能な回転体である灯具本体１０３に灯具１０４を回動可能に支持する回動軸としての取付ネジ１０７と、所定回動角度に回動した位置で灯具１０４を灯具本体１０３に固定する固定手段としての取付ネジ１０７とが、同じ部材であるのが一般的である。また、取付ネジ１０７等のネジは座金やナット等を取付けるためにある程度の長さが必要であり、このため、灯具本体の先端部においてネジを締結すると、反射板に干渉するため、反射板を小さくしなければならず、光出力が低下するという問題があった。
【０００５】
そこで、上述した問題を回避するために、灯具１０４の先端部から離して取付ネジ１０７を設けると、反射板１０６を大きくして光出力を増すことができるが、灯具１０４を回動させた際に、灯具１０４の先端部が枠体から下方へ突出する（図５中２点鎖線で表示）という問題がある。
【０００６】
本発明は、従来の問題を解決するためになされたもので、反射板を大きくして光出力を大きくすることができ、灯具本体を回動させた際に枠体から下方へ突出する突出量を小さくすることのできる照明器具を提供することを目的とする。
【課題を解決するための手段】
【０００７】
本発明の照明器具は、取付部位に形成された埋込穴に埋設される枠体と、前記枠体に対して旋回可能に取付けられた回転台と、光源および反射板を内包するとともに前記回転台に対して上下方向に回動可能に設けられた灯具本体と、を有する照明器具であって、前記回転台に対して前記灯具本体を回動可能に支持する回動軸と、前記灯具本体を前記回転台に対して固定する固定ネジと、を別個に設け、前記回動軸を前記固定ネジよりも前記灯具本体の先端側に設け、前記灯具本体から前記枠体側に突出する、前記灯具本体に一体的に形成されている突起が、前記回転台の一部に設けられている穴に嵌合され、前記突起によって前記回動軸が構成され、前記灯具本体における前記反射板は、下方に広がりつつ開口するカップ形状を有し、前記灯具本体の一部を貫く溝が形成されており、前記灯具本体の前記溝と、カップ形状を有する前記反射板の表面との間の距離は、前記灯具本体の前記突起が形成されている部分の内面と、カップ形状を有する前記反射板の表面との間の距離よりも大きく、前記溝を貫通する前記固定ネジは、前記灯具本体の前記溝と、カップ形状を有する前記反射板の表面との間の取付空間においてナットにより締結されている構成を有している。
【０００８】
この構成により、回転台に対して灯具本体を回動可能に支持する回動軸と所定の回動角度で灯具本体を回転台に対して固定する固定ネジとを別個に設けたので、回動軸としてネジを用いる必要がなくなり、回動軸を小さくすることができる。これにより反射板を大きくして光出力を改善することができる。また、回動軸を固定ネジよりも灯具本体の先端側に設けたので、灯具本体を回動軸回りに回動させた際に、枠体から突出する灯具本体を最小限に抑えることができる。
この構成により、回動軸として突起を一体的に設けたので、回動軸は灯具本体の内側には突出しないことになる。これにより、灯具本体内部に設けられる反射板を最大限に大きくすることができ、光出力を改善することができる。
【発明の効果】
【００１１】
本発明は、回転台に対して灯具本体を回動可能に支持する回動軸と所定の回動角度で灯具本体を回転台に対して固定する固定ネジとを別個に設けたので、回動軸としてネジを用いる必要がなくなり、回動軸を小さくすることができる。これにより反射板を大きくして光出力を改善することができる。また、回動軸を固定ネジよりも灯具本体の先端側に設けたので、灯具本体を回動軸回りに回動させた際に、枠体から突出する灯具本体を最小限に抑えることができるという効果を有する照明器具を提供することができるものである。
【発明を実施するための最良の形態】
【００１２】
以下、本発明の実施の形態の照明器具について、図面を用いて説明する。
図１は本発明の実施形態にかかる照明器具の斜視図、図２は図１中II−II位置の断面図、図３は灯具本体を回動させた状態の断面図、図４は灯具本体の回動中心と回動固定ネジの位置関係を示す説明図である。
【００１３】
図１〜図３に示すように、本発明の照明器具１０は天井等の取付部位に形成された埋込穴に埋設されて使用されるものであり、埋込穴に埋設される枠体２０と、この枠体２０に対して旋回可能に取付けられた回転台２１と、回転台２１に対して上下方向に回動可能に設けられた灯具本体３０とを有している。
【００１４】
枠体２０は、円筒形状の枠体本体２２を有しており、枠体本体２２の下端面には天井等の下面に当接して露出する鍔状の化粧板２３を有している。また、枠体本体２２の下端部付近から、複数個の板バネからなる支持部材２４が放射状に少なくとも３個設けられており、先端部は下方へ折り曲げられて係止部２４ａが形成されている。支持部材２４の内側端部は上方へ曲げ上げられた支持部２４ｂを有しており、支持部２４ｂは、枠体本体２２の外側面に設けられている支持板２５に対して上下方向に調整可能に取り付けられている。従って、天井の厚さに応じて支持部材２４を上下方向に調整することができる。
【００１５】
枠体本体２２の上部には水平な段差２２ａが設けられており、段差２２ａの外周面から上方へ回転台保持部２２ｂが設けられている。従って、回転台２１は、下面が枠体本体２２の段差２２ａに支持され、側面が回転台保持部２２ｂに保持されるので、枠体２０に対して旋回可能に保持されることになる。
【００１６】
回転台２１は、円筒形状をしており、下端面は水平に折り曲げられて、枠体本体２２の段差２２ａに対して摺動する摺動面２１ａを有している。摺動面２１ａの外側端は曲げ上げられて立壁２１ｂが設けられており、回転台２１が旋回する際に枠体本体２２の回転台保持部２２ｂの内面に当接することにより、安定して旋回可能となっている。なお、通常時においては、立壁２１ｂの外面と回転台保持部２２ｂの内面との間には、回転台２１ががたつかない程度の隙間を確保して、円滑に旋回できるようにする。
【００１７】
回転台２１の内面には、直径方向に対向した位置において回転台２１の上方に突出する一対の灯具保持板２６、２６が設けられている。図４に示すように、灯具保持板２６は全体矩形板状部材であり、下部には灯具本体３０を回動可能に支持するための丸穴２６ａが設けられており、上部には丸穴２６ａの中心を中心とした一定幅の部分円弧状をした円弧状溝２６ｂが形成されている。
【００１８】
灯具本体３０内部には、光源であるランプ３１および反射板３２が設けられている。反射板３２が内包されている灯具本体下部３０ａは、全体円錐台形状をしており、直径方向に対向した位置に一対の回動取付部３３が外側に突出して一体的に設けられている。また、灯具本体下部３０ａの上端面にネジ止めされている灯具本体上部３０ｂは、矩形断面のフレーム状をしており、天板３５の下面にはランプ３１を保持して給電するソケット３６が取付けられている。
【００１９】
回動取付部３３は、灯具本体下部３０ａの外側に突出する外側面３３ａが鉛直になるように設けられており、外側面３３ａ下部には、回動軸である円柱状の回動中心突起３３ｂが外向きに突出して一体的に形成されている。回動中心突起３３ｂは、回転台２１の灯具保持板２６に設けられている丸穴２６ａに嵌合して、灯具本体３０を回動可能に保持する。このため、従来の回動軸として用いられていたネジ部材のように、灯具本体３０の内側には突出しないので、反射板３２を灯具本体３０の内部において最大限に大きくすることができる。また、回動取付部３３の上部には、灯具本体３０が回動した状態で固定するためのネジ穴３３ｃが貫通して設けられている。
【００２０】
回動取付部３３のネジ穴３３ｃには、灯具保持板２６の円弧状溝２６ｂを貫通する固定ネジ３４が取付けられており、回動取付部３３の内側の空間において灯具本体３０の内面にナット３４ａが取付けられている。すなわち、固定ネジ３４の取付位置が、下方に広がる楕円等のカップ状をしている反射板３２の下端面から上方に離れることになるため、反射板３２の下端面における断面（すなわち、光照射口）を大きくしても、ナット３４ａ等のための取付空間を確保することができ、反射板３２を大きくすることができる。
【００２１】
従って、固定ネジ３４を弛めた状態では固定ネジ３４は灯具保持板２６の円弧状溝２６ｂに沿って移動可能となるため、灯具本体３０が回動可能となる。また、固定ネジ３４を締めると、固定ネジ３４は円弧状溝２６ｂに固定されるので、灯具本体３０の回動は阻止される。なお、図４に示すように、固定ネジ３４が灯具保持板２６の円弧状溝２６ｂの一端（ここでは左端）に位置するときに、灯具本体３０は鉛直下方を向くように設定されている。このときの取付ネジ３４の位置と、回動中心である灯具保持板２６の丸穴２６ａの位置には、ずれαが設けられている。
【００２２】
このような照明器具１０を天井等に設けられている埋込穴に取付ける際には、枠体２０に取付けられている各支持部材２４を上方へ変形させ、支持部材２４の先端を埋込穴に挿入して、係止部２４ａによって天井裏に係止する。そして、化粧板２３の上面２３ａが天井面に当接するまで照明器具１０を埋込穴に押し込むと、支持部材２４が天井裏で拡がって、照明器具１０を支持する。
【００２３】
一方、照明器具１０を取り外す際には、照明器具１０を引き下げることにより、支持部材２４は埋込穴の内側へ弾性変形して、支持部材２４の係止部２４ａが埋込穴の外周部に係止される位置で一旦係止される。作業者は、天井と照明器具１０との間に手を挿入して支持部材２４を内側へ変形させ、係止部２４ａを天井裏から外すことにより、照明器具１０を取り外すことができる。
【００２４】
以上、説明した照明器具１０によれば、回転台２１に対して灯具本体３０を回動可能に支持する回動軸である回動中心突起３３ｂと、所定の回動角度で灯具本体３０を回転台２１に対して固定する固定ネジ３４とを別個に設けたので、従来のように回動軸としてネジを用いる必要がなくなり、小さくすることができる。これにより反射板３２を大きくして光出力を改善することができる。また、回動中心突起３３ｂを固定ネジ３４よりも灯具本体３０の先端側（下側）に設けたので、灯具本体３０を回動させた際に、枠体２０から下方へ突出する灯具本体３０を最小限に抑えることができる。
【００２５】
なお、本発明の照明器具は、前述した（各）実施形態に限定されるものでなく、適宜な変形，改良等が可能である。
【図面の簡単な説明】
【００２６】
【図１】本発明の実施形態にかかる照明器具の斜視図
【図２】図１中II−II位置の断面図
【図３】灯具本体を回動させた状態の断面図
【図４】灯具保持板の正面図であり、灯具本体の回動中心と回動固定ネジの位置関係を示す説明図
【図５】従来の照明器具の断面図
【符号の説明】
【００２７】
１０  照明器具
２０  枠体
２１  回転台
３０  灯具本体
３１  ランプ（光源）
３２  反射板
３３ｂ  回動中心突起（回動軸）
３４  固定ネジ
【図１】
0005360954.tif 000002
【図２】
0005360954.tif 000003
【図３】
0005360954.tif 000004
【図４】
0005360954.tif 000005
【図５】
0005360954.tif 000006